(57)【要約】【課題】受信レポートを読み取ることで、通信機器により受信され画像情報を通信機器と異なる機器に出力することを可能にする通信装置、通信システム、及び通信プログラムを提供する。【解決手段】格納領域情報により示された格納領域に画像情報を格納する際に、格納領域情報、画像情報を識別する画像識別情報を含む受信情報を格納領域毎に対応させて定められた画像形成装置に送信し、受信情報を受信した画像形成装置によって該受信情報に応じた画像が形成された記録媒体を読み取ることによって得られた読み取り情報、及び画像情報に基づいた画像を形成するための画像形成装置を特定する特定情報を受信し、受信された読み取り情報から得られる格納領域情報で指定された格納領域に格納され、かつ該読み取り情報から得られる画像識別情報に対応する画像情報を、特定情報により特定される画像形成装置に送信する。【選択図】図４
2010062923.tif 000002
【特許請求の範囲】
【請求項１】
画像情報、及び該画像情報を格納する格納領域の場所を示す格納領域情報を受信する第１の受信手段と、
前記第１の受信手段により受信された前記画像情報を、前記第１の受信手段により受信された前記格納領域情報により示された格納領域に格納する格納手段と、
前記格納手段により前記画像情報を前記格納領域に格納する際に、前記格納領域情報、及び前記画像情報を識別する画像識別情報を含む受信情報を前記格納領域毎に対応させて定められた画像形成装置に送信する第１の送信手段と、
前記受信情報を受信した画像形成装置によって該受信情報に応じた画像が形成された記録媒体を読み取ることによって得られた読み取り情報、及び画像情報に基づいた画像を形成するための画像形成装置を特定する特定情報を受信する第２の受信手段と、
前記第２の受信手段によって受信された読み取り情報から得られる前記格納領域情報で指定された格納領域に格納され、かつ該読み取り情報から得られる画像識別情報に対応する画像情報を、前記特定情報により特定される画像形成装置に送信する第２の送信手段と、
を含む通信装置。
【請求項２】
前記格納領域には、該格納領域に格納された画像情報に基づいた画像を記録媒体に形成する際に用いられる暗証番号情報が予め割り当てられており、
前記受信情報は、利用者に暗証番号を入力させることを示す暗証番号入力情報を更に含み、
前記第２の受信手段は、利用者により入力された暗証番号を示す入力暗証番号情報を更に含む前記読み取り情報を受信し、
前記第２の送信手段は、前記第２の受信手段により受信された前記読み取り情報に含まれる前記入力暗証番号情報が、前記読み取り情報に含まれる前記格納領域情報に示される格納領域に割り当てられた暗証番号情報と対応する場合に、前記画像情報を送信する請求項１に記載の通信装置。
【請求項３】
請求項１又は請求項２に記載の通信装置と、
前記格納領域毎に対応させて定められた画像形成装置と、
前記特定情報により特定される画像形成装置と、
前記記録媒体を読み取る読み取り装置と、
を含む通信システム。
【請求項４】
画像情報、及び該画像情報を格納する格納領域の場所を示す格納領域情報を受信する第１の受信手段により受信された前記画像情報を、前記第１の受信手段により受信された前記指定情報により示された格納領域に格納する格納ステップと、
前記格納ステップにより前記画像情報を前記格納領域に格納する際に、前記格納領域情報、及び前記画像情報を識別する画像識別情報を含む受信情報を前記格納領域毎に対応させて定められた画像形成装置に送信する第１の送信ステップと、
前記受信情報を受信した画像形成装置によって該受信情報に応じた画像が形成された記録媒体を読み取ることによって得られた読み取り情報、及び画像情報に基づいた画像を形成するための画像形成装置を特定する特定情報を受信する第２の受信手段によって受信された読み取り情報から得られる前記格納領域情報で指定された格納領域に格納され、かつ該読み取り情報から得られる画像識別情報に対応する画像情報を、前記特定情報により特定される画像形成装置に送信する第２の送信ステップと、
を有する処理をコンピュータに実行させる通信プログラム。
【発明の詳細な説明】
【技術分野】
【０００１】
本発明は、通信装置、通信システム、及び通信プログラムに関する。
【背景技術】
【０００２】
特許文献１には、受信したファクシミリ文書を印刷せずに、まず受信レポートを印刷し、オペレータが上記ファクシミリ文書の宛名に対応する者の電子メールアドレスを、上記受信レポートに記入し、その受信レポートをスキャンすることにより、ファクシミリ文書を電子メール形式に変換することで、ファクシミリ文書を電子メールで送信する方法が開示されている。
【特許文献１】特開２０００−３４１４９２号公報
【発明の開示】
【発明が解決しようとする課題】
【０００３】
本発明は、受信レポートを読み取ることで、通信機器により受信された画像情報を通信機器と異なる機器に出力することを可能にする通信装置、通信システム、及び通信プログラムを提供することを目的とする。
【課題を解決するための手段】
【０００４】
上記目的を達成するために、請求項１の発明は、画像情報、及び該画像情報を格納する格納領域の場所を示す格納領域情報を受信する第１の受信手段と、前記第１の受信手段により受信された前記画像情報を、前記第１の受信手段により受信された前記格納領域情報により示された格納領域に格納する格納手段と、前記格納手段により前記画像情報を前記格納領域に格納する際に、前記格納領域情報、及び前記画像情報を識別する画像識別情報を含む受信情報を前記格納領域毎に対応させて定められた画像形成装置に送信する第１の送信手段と、前記受信情報を受信した画像形成装置によって該受信情報に応じた画像が形成された記録媒体を読み取ることによって得られた読み取り情報、及び画像情報に基づいた画像を形成するための画像形成装置を特定する特定情報を受信する第２の受信手段と、前記第２の受信手段によって受信された読み取り情報から得られる前記格納領域情報で指定された格納領域に格納され、かつ該読み取り情報から得られる画像識別情報に対応する画像情報を、前記特定情報により特定される画像形成装置に送信する第２の送信手段と、を含む。
【０００５】
請求項２の発明は、請求項１の発明において、前記格納領域には、該格納領域に格納された画像情報に基づいた画像を記録媒体に形成する際に用いられる暗証番号情報が予め割り当てられており、前記受信情報は、利用者に暗証番号を入力させることを示す暗証番号入力情報を更に含み、前記第２の受信手段は、利用者により入力された暗証番号を示す入力暗証番号情報を更に含む前記読み取り情報を受信し、前記第２の送信手段は、前記第２の受信手段により受信された前記読み取り情報に含まれる前記入力暗証番号情報が、前記読み取り情報に含まれる前記格納領域情報に示される格納領域に割り当てられた暗証番号情報と対応する場合に、前記画像情報を送信する。
【０００６】
また、上記目的を達成するために、請求項３の発明は、請求項１又は請求項２に記載の通信装置と、前記格納領域毎に対応させて定められた画像形成装置と、前記特定情報により特定される画像形成装置と、前記記録媒体を読み取る読み取り装置と、を含む通信システムである。
【０００７】
また、上記目的を達成するために、請求項４の発明は、画像情報、及び該画像情報を格納する格納領域の場所を示す格納領域情報を受信する第１の受信手段により受信された前記画像情報を、前記第１の受信手段により受信された前記指定情報により示された格納領域に格納する格納ステップと、前記格納ステップにより前記画像情報を前記格納領域に格納する際に、前記格納領域情報、及び前記画像情報を識別する画像識別情報を含む受信情報を前記格納領域毎に対応させて定められた画像形成装置に送信する第１の送信ステップと、前記受信情報を受信した画像形成装置によって該受信情報に応じた画像が形成された記録媒体を読み取ることによって得られた読み取り情報、及び画像情報に基づいた画像を形成するための画像形成装置を特定する特定情報を受信する第２の受信手段によって受信された読み取り情報から得られる前記格納領域情報で指定された格納領域に格納され、かつ該読み取り情報から得られる画像識別情報に対応する画像情報を、前記特定情報により特定される画像形成装置に送信する第２の送信ステップと、を有する処理をコンピュータに実行させる通信プログラムである。
【発明の効果】
【０００８】
請求項１、請求項３、及び請求項４記載の発明によれば、受信レポートである受信情報を受信した画像形成装置によって該受信情報に応じた画像が形成された記録媒体を読み取ることで、通信機器により受信され画像情報を通信機器と異なる機器に出力することができる。
【０００９】
また、請求項２記載の発明によれば、暗証番号を知っている利用者以外は画像を形成することができないため、セキュリティをより向上させることができる。
【発明を実施するための最良の形態】
【００１０】
以下、図面を参照して、本発明の実施の形態について詳細に説明する。なお、本実施の形態では、ファクシミリ機能付きの装置であるファクシミリ装置をファックス装置と表現する。また、画像形成装置をプリンタと表現し、読み取り装置をスキャナと表現する。更に、画像を形成することを印刷すると表現することがある。また、本実施の形態における画像情報は、ファクシミリ装置が受信したファクシミリ文書を示す情報である。
【００１１】
まず、図１を用いて、本実施の形態に係るファクシミリシステム１０全体の構成について説明する。同図に示されるように、ファクシミリシステム１０は、ファックス装置１２、スキャナ２０、プリンタ３０Ａ、３０Ｂを含んで構成される。各々の装置はネットワークで接続され、更に同図に示されるように、ファックス装置１２は電話回線等で構成されるネットワークを介して、他のファックス装置１４と通信可能となっている。
【００１２】
上記ファックス装置１２は、画像情報、及び該画像情報を格納する格納領域の場所を示す格納領域情報を受信する。この格納領域とは、本実施の形態では所定の利用者宛の画像情報を格納する親展ボックスとなっている。更にファックス装置１２は、図示されていないＰＣ（Personal Computer）に電子メールを送信することも可能である。また、ファックス装置１２は、プリンタ３０Ａ、３０Ｂに所定の画像を印刷させることが可能であり、更にスキャナ２０で読み込まれた画像に関する各種情報のやり取りが可能となっている。また、プリンタ３０Ａ、３０Ｂは、ファックス機能が付いていない画像形成装置である。
【００１３】
なお、図１では、スキャナ２０、プリンタ３０Ａ、３０Ｂの３つの装置が別の装置となっているが、スキャナ機能とプリンタ機能を有する１つの画像形成装置となっていても良い。或いは、上記３つの装置を、スキャナ２０、及びプリンタ３０Ａを１つの画像形成装置とし、その画像形成装置とプリンタ３０Ｂの２つの装置として構成するようにしても良い。
【００１４】
次に、上記ファックス装置１２のハードウェア構成を、図２を用いて説明する。ファックス装置１２は、ＣＰＵ（Central Processing Unit）４０と、フラッシュメモリ４２と、ＲＡＭ（Random Access Memory）４４と、ＮＶＭ（Non-Volatile Memory）４６と、ＵＩ（User Interface）４８と、ＨＤＤ（Hard Disk Drive）５０と、プリンタエンジン５２と、スキャナエンジン５４と、通信Ｉ／Ｆ（インタフェース）５６と、バス６０とを含む。
【００１５】
ＣＰＵ４０は、ファックス装置１２の全体の動作を司るものであり、後述するフローチャートに示される処理は、ＣＰＵ４０により実行される。フラッシュメモリ４２は、ＲＡＭ４４に展開されるプログラム及び起動する際に動作するブートプログラム等が記憶されている。
【００１６】
ＲＡＭ４４は、ＯＳ（Operating System）やプログラムや画像情報等が展開される記憶装置である。ＮＶＭ４６には、ファックス装置１２に係る設定値等が記憶される。ＵＩ４８は、利用者がファックス装置１２の操作や情報を入力する際に用いられるものである。ＨＤＤ５０は、画像情報や後述するファクシミリプログラム等が記録される記憶装置である。更に、ＨＤＤ５０は、上記格納領域に対応する親展ボックスの実体が含まれる。また、ＨＤＤ５０には、後述する転送データベース（以下、ＤＢと記す）が記憶されている。
【００１７】
プリンタエンジン５２は、紙等の記録媒体に、画像情報に基づいて印刷するエンジンである。スキャナエンジン５４は、原稿に描かれた画像を読み取るとともに、読み取られた画像を示す画像情報を生成する。
【００１８】
通信Ｉ／Ｆ５６は、ネットワークに接続するためのＮＩＣ（Network Interface Card）やそのドライバ、或いはＵＳＢデバイス、電話回線に接続するためのインタフェースを含んで構成される。バス６０は、情報のやりとりが行われる際に使用される。
【００１９】
なお、以上説明した構成のうち、スキャナエンジン５４は必ずしも必要ではなく、また不揮発性の記憶装置であるフラッシュメモリ４２、ＮＶＭ４６、及びＨＤＤ５０は、１つの不揮発性の記憶装置であっても良い。
【００２０】
なお、上述したＨＤＤ５０には、ＣＰＵ４０により実行されるファクシミリプログラムやそのプログラムが用いるデータなどが記録される。このプログラムは、必ずしもＨＤＤ５０に記録されたプログラムでなくても良い。ＨＤＤ５０以外の記録媒体として、具体的には可搬型の記録媒体にプログラムを記録したものが挙げられる。この場合、ファックス装置１２に、可搬型の記録媒体を読み取るための読み取り装置を設け、可搬型の記録媒体は読み取り装置に対して、磁気、光、電気等のエネルギーの変化状態を引き起こし、それに対応する信号の形式で、読み取り装置にプログラムの記述内容を伝達できるものである。
【００２１】
可搬型の記録媒体として、例えば光磁気ディスク、光ディスク（ＣＤやＤＶＤなどを含む）、磁気ディスク、メモリ（ＩＣカード、メモリカードなどを含む）などが挙げられる。
【００２２】
なお、プリンタ３０Ａ、３０Ｂのハードウェア構成の一例として、図２に示される構成からスキャナエンジン５４を除いた構成が挙げられる。また、スキャナ２０のハードウェア構成として、図２に示される構成からプリンタエンジン５２を除いた構成が挙げられる。
【００２３】
次に、図３を用いて、転送ＤＢの構造について説明する。転送ＤＢは、ボックス番号、ボックス名、オーナー名、転送アドレス、及び電子メールアドレスを含む構造となっている。
【００２４】
このうち、ボックス番号は、上述した親展ボックスを一意的に示すもので、画像情報を格納する親展ボックスを指定するための格納領域情報である。ボックス名は親展ボックスの名称を示す。オーナー名は、親展ボックスの所有者を示す。転送アドレスは、画像情報が親展ボックスに格納された際に、画像情報を受信したことを示す受信レポートを印刷させるプリンタのアドレスを示す。電子メールアドレスは、画像情報が親展ボックスに格納された際に、画像情報を受信したことを示す電子メールを送信するアドレスを示す。
【００２５】
同図に示されるように、複数の転送アドレス、及び複数の電子メールアドレスを一つの親展ボックスに対応させて設定することができる。
【００２６】
また、複数の転送アドレス、及び複数の電子メールアドレスを一つの親展ボックスに対応させて設定された場合の実施例として、ボックス２のケースでは、同時に複数のアドレスに受信レポートを印刷させても良いし、優先順位を付けて、最初は優先順位の高いアドレスに受信レポートを印刷させ、一定時間内に画像情報の取り出しが無かった場合は、次の優先順位のアドレスに受信レポートを印刷するようにしても良い。
【００２７】
次に、本実施の形態に係るファクシミリシステム１０で行なわれる処理概要を説明する。この説明では、本実施の形態に係るファクシミリシステム１０の例として、２つの構成例が用いられる。第１の構成は、図４に示される構成であり、第２の構成は図６に示される構成である。
【００２８】
まず、第１の構成について、図４を用いて説明する。画像情報をファックス装置１４から送信する利用者は、相手先電話番号の後に、「！」、「＊」、「＄」を順に入力し、更に相手先のボックス番号を入力した後に「＃」「＃」を入力して、暗証番号が必要であれば、相手先親展ボックスの暗証番号を入力後に「＃」、「＃」、「＄」を順に入力することにより、ファックス文書を示す画像情報を送信することができる。なお、暗証番号を示す暗証番号情報は、親展ボックスに格納された画像情報に基づいた画像を記録媒体に印刷する際に用いられる。
【００２９】
上記手順はＤＴＭＦ方式と言われるものであるが、ボックス番号や暗証番号が通知可能であれば、各メーカ独自の方式や、Ｆコード方式であっても良い。
【００３０】
こうしてファックス装置１４から送信された画像情報を、ファックス装置１２が受信すると（（１）参照）、転送ＤＢを参照し、親展ボックスに対応する転送アドレスに示されるプリンタ（ここではプリンタ３０Ａとする）に受信情報を送信する（（２）参照）。
【００３１】
プリンタ３０Ａは、受信レポートを印刷する（（３）参照）。この受信レポートの一例を、図５に示す。同図に示されるように、受信レポートには、ボックス番号、ボックス名、受信文書名、及びハイブリッドウォーターマーク（ＨＷＭ）が印刷される。このうち、受信文書名は、受信した画像情報を識別する画像識別情報であり、本実施の形態では、ファックス装置１２により一意的に与えられる。
【００３２】
また、ＨＷＭには、ボックス番号、ボックス名、受信文書名、ファックス装置１２のＩＰアドレス、及び暗証番号入力情報がスキャナ２０で読み取り可能なように符号化されて印刷される。
【００３３】
なお、上記暗証番号入力情報とは、暗証番号を利用者に入力させるか否かを示すスキャナ２０に対する情報であり、利用者に暗証番号を入力させることを示す場合には、スキャナ２０は、暗証番号入力画面を表示し、利用者に暗証番号を入力させることとなる。
【００３４】
図４の説明に戻り、利用者は、上記受信レポートをスキャナ２０に読み込ませる（（４）参照）。このとき、スキャナ２０は、画像情報を印刷するプリンタを利用者に特定させる（ここでは、プリンタ３０Ｂが特定されたとする）。特定方法としては、例えばプリンタのＩＰアドレスを利用者から入力させたり、或いは予め指定可能なプリンタのリストを保持しておき、そのリストに示されるプリンタから利用者が特定するようにしても良い。
【００３５】
スキャナ２０は、上記ＨＷＭにより読み取った読み取り情報、及びプリンタを特定する特定情報をファックス装置１２に送信する（（５）参照）。
【００３６】
そして、ファックス装置１２は、画像情報をプリンタ３０Ｂに送信することにより、プリンタ３０Ｂは、ファックス文書を示す画像を印刷する。
【００３７】
次に、上述したスキャナ２０、プリンタ３０Ａ、３０Ｂを１つの画像形成装置とした第２の構成例における処理概要について、図６を用いて説明する。まず、ファックス装置１４から送信された画像情報を、ファックス装置１２が受信すると（（１）参照）、転送ＤＢを参照し、親展ボックスに対応する転送アドレスに示されるプリンタ（ここでは画像形成装置１６とする）に受信情報を送信する（（２）参照）。
【００３８】
画像形成装置１６は、受信レポートを印刷する（（３）参照）。この受信レポートは、図５に示した通りである。
【００３９】
利用者は、上記受信レポートを画像形成装置１６のスキャナに読み込ませる（（４）参照）。このとき、図４における構成では、スキャナ２０が画像を印刷するプリンタを利用者に特定させていたが、ここでは、画像形成装置１６に画像を印刷させるため、特定する手順を省略するようにしても良い。
【００４０】
画像形成装置１６は、上記ＨＷＭにより読み取った読み取り情報、及びプリンタを特定する特定情報をファックス装置１２に送信する（（５）参照）。プリンタを特定する特定情報は、画像形成装置１６を示す情報となる。但し、受信レポートを印刷した画像形成装置で必ず画像を印刷する場合は、特定情報の送信を行なわないようにしても良い。
【００４１】
そして、ファックス装置１２は、画像情報を画像形成装置１６に送信することにより、画像形成装置１６は、ファックス文書を示す画像を印刷する。
【００４２】
以上説明した処理を、フローチャートを用いて説明する。図７に示されるフローチャートは、ファックス装置１２における処理の流れを示すものであり、この処理は上述したＣＰＵ４０により行なわれる処理を示している。
【００４３】
まず、ステップ１０１で、ファクシミリ規格に基づいて、画像情報を受信したか否か判定し、画像情報を受信した場合にステップ１０２に処理が進む。
【００４４】
親展ファックスの場合は、画像情報に加え、更に該画像情報を格納する親展ボックスを指定したボックス番号を受信することとなる。また、暗証番号が必要な場合は暗証番号を示す暗証番号情報も更に受信する。
【００４５】
ステップ１０２で、親展ファックスか否か判定し、否定判定した場合には、ステップ１０８で画像情報が示す画像を印刷して処理を終了する。
【００４６】
一方、ステップ１０２で肯定判定した場合には、ステップ１０３で、ボックス番号に対応する親展ボックスに、画像情報を格納する。このとき、暗証番号情報を受信した場合には、画像情報に関連づけて暗証番号情報も格納するので、暗証番号情報は予め割り当てられる。
【００４７】
このように、ステップ１０３では、受信された画像情報を、格納領域情報により示される親展ボックスに格納する。
【００４８】
そして、次のステップ１０４で、転送ＤＢを参照して、画像情報を格納した親展ボックスのボックス番号に対応する転送先があるか否か判定する。
【００４９】
このステップ１０４で否定判定した場合には、処理を終了し、肯定判定した場合には、ステップ１０５で、ボックス番号に対応する電子メールアドレス宛に、画像情報を受信したことを示す電子メールを送信する。次のステップ１０６で、受信レポートを示す受信情報を生成する。そして、ステップ１０７で、ボックス番号に対応して定められた（転送先のアドレスが示す）プリンタ（ここではプリンタ３０Ａ）へ受信情報を送信して処理を終了する。
【００５０】
具体的に、ステップ１０７では、画像情報が親展ボックスに格納された際に、格納領域情報、及び画像情報を識別する受信文書名を含む受信情報を格納領域情報に対応させて定められたプリンタに送信する。
【００５１】
図８に示されるフローチャートは、受信情報を受信したプリンタ３０Ａの処理の流れを示すフローチャートであり、この処理はプリンタ３０ＡのＣＰＵにより行なわれる処理を示している。
【００５２】
まず、ステップ２０１で、受信情報を受信したか否か判定し、受信情報を受信した場合にステップ２０２で受信レポートを印刷して処理を終了する。
【００５３】
次に、受信レポートを読み取るスキャナ２０の処理の流れを、図９のフローチャートを用いて説明する。まず、ステップ３０１で、受信レポートを読み取り、ステップ３０２で読み取った受信レポートを解析する。次のステップ３０３で、解析した結果、暗証番号入力情報が利用者に暗証番号を入力させることを示しているか否か判定する。
【００５４】
ステップ３０３で否定判定した場合には、ステップ３１０で解析内容をスキャナ２０の画面に表示して、ステップ３０６の処理に進む。なお、解析内容とは、ＨＷＭを読み取ることにより得られたボックス番号、ボックス名、受信文書名、ファックス装置１２のＩＰアドレスを示す。
【００５５】
一方、ステップ３０３で肯定判定した場合には、ステップ３０４で、上記解析内容と暗証番号入力画面をスキャナ２０の画面に表示し、ステップ３０５で利用者によりスキャナ２０に設けられた入力手段を用いて暗証番号が入力される。そして、ステップ３０６で、画像を印刷するか削除するかを利用者により選択される。この削除とは、親展ボックスに格納されている画像情報を削除することを示し、例えば既に画像を印刷している場合など、画像情報が不要なときに用いられる。
【００５６】
次のステップ３０７で、印刷が選択されたか否かを判定し、肯定判定した場合には、ステップ３０８で利用者により印刷先が入力される。一方、否定判定した場合にはステップ３０９に処理が進む。
【００５７】
ステップ３０９で、解析内容を示す読み取り情報、印刷又は削除のいずれを行なうかを示す情報、印刷する場合には、画像情報に基づいた画像を印刷するための画像形成装置を特定する特定情報、暗証番号が入力された場合には更に入力暗証番号情報を、ファックス装置１２に送信して処理を終了する。
【００５８】
次に、図１０を用いて、ファックス装置１２の処理について説明する。まず、ステップ４０１は、少なくとも読み取り情報を受信する処理である。画像情報を削除しない場合には、読み取り情報の他に、特定情報を受信し、更に読み取り情報には入力暗証番号情報が含まれることもある。
【００５９】
ステップ４０２で暗証番号の照合が必要か否か判定し、否定判定した場合には、ステップ４０４へ処理が進む。
【００６０】
一方、ステップ４０２で肯定判定した場合には、ステップ４０３で受信された読み取り情報に含まれる入力暗証番号情報が、読み取り情報に含まれる格納領域情報に示される格納領域に割り当てられた暗証番号と対応するか否か判定する。
【００６１】
ステップ４０３で否定判定した場合には、処理を終了し、肯定判定した場合に、ステップ４０４で、利用者が削除を選択したか否か判定する。肯定判定した場合には、ステップ４０６で画像情報を削除し、処理を終了する。一方、ステップ４０４で否定判定した場合には、ステップ４０５で、画像情報を特定情報で特定されるプリンタ（ここではプリンタ３０Ｂ）に送信して処理を終了する。
【００６２】
このように、ステップ４０５では、受信された読み取り情報から得られる格納領域情報に示される親展ボックスに格納され、かつ該読み取り情報から得られる受信文書名に対応する画像情報を、特定情報により特定される画像形成装置に送信する。
【００６３】
次の図１１に示されるフローチャートは、画像情報を受信したプリンタ３０Ｂの処理の流れを示すフローチャートであり、この処理はプリンタ３０ＢのＣＰＵにより行なわれる処理を示している。
【００６４】
ステップ５０１で、画像情報を受信すると、ステップ５０２で画像情報が示す画像を印刷して処理を終了する。
【００６５】
なお、以上説明した各フローチャートの処理の流れは一例であり、本発明の主旨を逸脱しない範囲内で処理順序を入れ替えたり、新たなステップを追加したり、不要なステップを削除したりすることができることは言うまでもない。
【図面の簡単な説明】
【００６６】
【図１】実施の形態に係るファクシミリシステム全体の構成を示す図である。
【図２】ファックス装置のハードウェア構成を示す図である。
【図３】転送データベースを示す図である。
【図４】実施の形態に係る第１の構成を示す図である。
【図５】受信レポートを示す図である。
【図６】実施の形態に係る第２の構成を示す図である。
【図７】ファックス装置における処理の流れを示すフローチャートである（その１）。
【図８】受信レポートを印刷するプリンタにおける処理を示すフローチャートである。
【図９】読み取り装置における処理を示すフローチャートである。
【図１０】ファックス装置における処理の流れを示すフローチャートである（その２）。
【図１１】画像情報を受信したプリンタの処理の流れを示すフローチャートである。
【符号の説明】
【００６７】
１０  ファクシミリシステム
１２、１４  ファックス装置
１６  画像形成装置
２０  スキャナ
３０Ａ、３０Ｂ  プリンタ
４０  ＣＰＵ
４２  フラッシュメモリ
４４  ＲＡＭ
４６  ＮＶＭ
４８  ＵＩ
５０  ＨＤＤ
５２  プリンタエンジン
５４  スキャナエンジン
５６  通信Ｉ／Ｆ
６０  バス
【図１】
2010062923.tif 000003
【図２】
2010062923.tif 000004
【図３】
2010062923.tif 000005
【図４】
2010062923.tif 000006
【図５】
2010062923.tif 000007
【図６】
2010062923.tif 000008
【図７】
2010062923.tif 000009
【図８】
2010062923.tif 000010
【図９】
2010062923.tif 000011
【図１０】
2010062923.tif 000012
【図１１】
2010062923.tif 000013